(57)【要約】  カートンは、底部パネル（１２／２２）と、それぞれ上側部分（１６、２６）及び下側部分（１４、２４）を有する第１の側部パネル（１４／１６）及び第２の側部パネル（２４／２６）と、を含む。第１の側部パネルは、第１のアパーチャ（３２ａ、３２ｂ）と、第２のアパーチャ（３０ａ、３０ｂ）を有する。第１の側部パネル（１４／１６）は、物品Ｂの反対側に配置されるように位置し、それに対して、第２の側部パネル（２４／２６）は第２の物品Ｂの反対側に配置されるように位置する。カートンは、第１の側部パネル及び第２の側部パネルを一緒に連結する補強パネル（２０ａ、２０ｂ、２０ｃ、２０ｄ）を含む。補強パネルは、略「Ｖ」字形状になるように、第１の側部パネル及び第２の側部パネルの上側部分（１６、２６）と面接触関係で配置される。
2016514655.tif 000002
【特許請求の範囲】
【請求項１】
複数の物品を包装するためのカートンであって、
底部パネルと、
第１の側部パネル及び第２の側部パネルと、
を備え、
前記第１の側部パネル及び前記第２の側部パネルのそれぞれは、上側部分及び下側部分を有し、前記第１の側部パネルは、第１の物品を受容するための第１のアパーチャ及び第２のアパーチャを有し、前記第１のアパーチャが前記第１の側部パネルの前記上側部分から打ち抜き加工され、前記第２のアパーチャが前記第１の側部パネルの前記下側部分から打ち抜き加工され、
前記第２の側部パネルは、第２の物品を受容するための第３のアパーチャ及び第４のアパーチャを有し、前記第３のアパーチャが前記第２の側部パネルの前記上側部分から打ち抜き加工され、前記第４のアパーチャが前記第２の側部パネルの前記下側部分から打ち抜き加工され、
前記第１の側部パネルは、前記第１の側部パネルの第１の部分が前記第１の物品の第１の側に配置されるように、且つ前記第１の側部パネルの第２の部分が前記第１の物品の第２の側に配置されるように、前記第１のアパーチャと前記第２のアパーチャとの間で折り曲げられ、
前記第２の側部パネルは、前記第２の側部パネルの第１の部分が前記第２の物品の第１の側に配置されるように、且つ前記第２の側部パネルの第２の部分が前記第２の物品の第２の側に配置されるように、前記第３のアパーチャと前記第４のアパーチャとの間に折り曲げられ、
前記カートンは、前記第１の側部パネル及び前記第２の側部パネルを一緒に連結する補強パネルを備え、
前記補強パネルは、前記第１の物品及び前記第２の物品の各１つを受容するための第１の開口部及び第２の開口部をそれぞれ備え、
前記補強パネルは、前記第１の開口部と前記第２の開口部との間に配置された少なくとも１つの第１の折り曲げ線を備え、
前記補強パネルは、略Ｖ字形状になるように、前記第１の側部パネル及び前記第２の側部パネルの前記上側部分と面接触関係で配置される、カートン。
【請求項２】
少なくとも１つのハンドルストラップは、前記補強パネルから打ち抜き加工されており、前記カートンを運ぶために、前記補強パネルの外側に変位される、請求項１に記載のカートン。
【請求項３】
前記第１の側部パネルは、第１のアパーチャと第２のアパーチャとの間に配置された少なくとも１つの第２の折り曲げ線を備え、
前記第２の側部パネルは、第３のアパーチャと第４のアパーチャとの間に配置された第３の折り曲げ線を備え、前記少なくとも１つの第２の折り曲げ線が前記少なくとも１つの第３の折り曲げ線に近接して配置される、請求項１に記載のカートン。
【請求項４】
前記少なくとも１つの第２の折り曲げ線及び前記少なくとも１つの第３の折り曲げ線は、前記少なくとも１つの第１の折り曲げ線に近接して配置される、請求項１に記載のカートン。
【請求項５】
第１の物品及び第２の物品と請求項１〜４のいずれか一項に記載のカートンとを備えるパッケージにおいて、
前記第１の物品は、前記第１の物品の少なくとも１つの部分が前記カートンの外側に配置されるように、前記第１の側部パネルの第１のアパーチャ及び第２のアパーチャ内に受容されており、
前記第２の物品は、前記第２の物品の少なくとも１つの部分が前記カートンの外側に配置されるように、前記第２の側部パネルの第３のアパーチャ及び第４のアパーチャ内に受容されている、パッケージ。
【請求項６】
前記第１の物品の前記少なくとも１つの部分は、前記第１の物品のネック部分であり、前記第２の物品の前記少なくとも１つの部分は、前記第２の物品のネック部分である、請求項５に記載のパッケージ。
【請求項７】
ハンドルストラップは、前記第１の物品及び前記第２の物品の上部に亘って延在する、請求項２のカートンを備える請求項５に記載のパッケージ。
【請求項８】
前記ハンドルストラップは、前記ハンドルストラップが前記第１の物品及び前記第２の物品の上部に亘って配置されるように形成される、請求項７に記載のパッケージ。
【請求項９】
前記ハンドルストラップは、使用時に、ハンドルパネルが前記第１の物品及び前記第２の物品に関して前記第１の側部パネル及び前記第２の側部パネルの前記上側部分並びに前記補強パネルを締め付けるように、前記第１の側部パネル及び前記第２の側部パネルの前記上側部分にヒンジ接続される、請求項７に記載のパッケージ。
【請求項１０】
カートンを形成するためのブランクであって、
前記カートンの補強パネルを形成する第１のパネルと、
前記カートンの第１の側部パネルの上側部分を形成するために、前記第１のパネルの第１の縁部にヒンジ接続された第２のパネルと、
前記カートンの第２の側部パネルの上側部分を形成するために、前記第１のパネルの第２の縁部にヒンジ接続された第３のパネルであって、前記第２の縁部が前記第１の縁部と反対側にある、第３のパネルと、
前記第１の側部パネルの下側部分を形成するために、前記第２のパネルにヒンジ接続された第４のパネルと、
前記第２の側部パネルの下側部分を形成するために、前記第３のパネルにヒンジ接続された第５のパネルと、
前記カートンの底部パネルを形成するために、前記第４のパネル及び前記第５のパネルの少なくとも１つにヒンジ接続された第６のパネルと、
を備える、ブランク。
【請求項１１】
前記第１のパネルから少なくとも部分的に打ち抜き加工されたハンドルパネルであって、前記第２のパネル及び前記第３のパネルのそれぞれに連結されたハンドルパネルをさらに備える、請求項１０に記載のブランク。
【請求項１２】
前記第１のパネルは、物品を受容するための複数の開口部を備え、
前記第２のパネル及び前記第３のパネルはそれぞれ、少なくとも１つのアパーチャを備え、前記少なくとも１つのアパーチャは、前記第１のパネルにおける前記複数の開口部のうちの各開口部と少なくとも部分的に位置合わせするように配置され、
前記第４のパネル及び前記第５のパネルはそれぞれ、少なくとも１つのアパーチャを備え、前記第２のパネル、前記第３のパネル、前記第４のパネル、及び前記第５のパネルが前記第１のパネルを少なくとも部分的に覆うように折り曲げられる場合に、前記少なくとも１つのアパーチャは、前記第１のパネルにおける前記複数の開口部のうちの各開口部及び前記第２のパネル又は前記第３のパネルにおける少なくとも１つのアパーチャのうちの各アパーチャと少なくとも部分的に位置合わせするように配置される、請求項１０に記載のブランク。
【請求項１３】
前記第６のパネルは、前記第４のパネルにヒンジ接続された第１の部分と、前記第５のパネルにヒンジ接続された第２の部分と、を備える、請求項１０に記載のブランク。
【請求項１４】
カートンを形成するための部分的に形成された構造であって、
前記カートンの補強パネルを形成する第１のパネルと、
前記カートンの第１の側部パネルの上側部分を形成するために、前記第１のパネルの第１の縁部にヒンジ接続された第２のパネルと、
前記カートンの第２の側部パネルの上側部分を形成するために、前記第１のパネルの第２の縁部にヒンジ接続された第３のパネルであって、前記第２の縁部が前記第１の縁部と反対側にある、前記第３のパネルと、
前記第１の側部パネルの下側部分を形成するために、前記第２のパネルにヒンジ接続された第４のパネルと、
前記第２の側部パネルの下側部分を形成するために、前記第３のパネルにヒンジ接続された第５のパネルと、
前記第４のパネル及び前記第５のパネルのうちの少なくとも１つにヒンジ接続された第６のパネルと、
を備え、
前記第１のパネルは複数の物品を受容するための複数の開口部を備え、前記第２のパネル及び前記第３のパネルのそれぞれは、少なくとも１つのアパーチャを備え、前記第４のパネル及び前記第５のパネルのそれぞれは、少なくとも１つのアパーチャを備え、
前記第２のパネル及び前記第３のパネルはそれぞれ、前記第２のパネル及び前記３のパネルのアパーチャのそれぞれが、前記第１のパネルにおける前記複数の開口部のうちの各開口部と少なくとも部分的に位置合わせするように配置されるように、前記第１のパネルの一部分を覆うために、前記第２のパネル又は前記第３のパネルを前記第１のパネルに連結する各ヒンジラインに関して折り曲げられ、
前記第４のパネル及び前記第５のパネルはそれぞれ、前記第４のパネル及び前記第５のパネルのそれぞれの部分が、それらがヒンジ接続される前記第２のパネル又は前記第３のパネルの各１つと重複配置構成になるように、且つ、前記第２のパネル又は前記第３のパネルが覆う前記第１のパネルの各部分を覆うように、前記第４のパネル及び前記第５のパネルのそれぞれを前記第２のパネル及び前記第３のパネルのうちの各１つに連結する各ヒンジラインに関して折り曲げられる、部分的に形成された構造。
【請求項１５】
ハンドルパネルは前記第１のパネルから少なくとも部分的に打ち抜き加工され、前記第２のパネル及び前記第３のパネルのそれぞれに連結される、請求項１４に記載の部分的に形成された構造。
【請求項１６】
複数の物品を包装する方法であって、
それぞれ物品を受容するための複数のアパーチャ又はカットアウェイと、それを横断方向に横切って延在する第１の折り曲げ線とを含んでいる補強パネルを形成する第１のパネルと、
第２の折り曲げ線によって前記第１のパネルの第１の縁部にヒンジ接続された第１の上側パネルを形成するための第２のパネルであって、それぞれ各物品を受容するための１つ又は複数のアパーチャを備える、第２のパネルと、
第３の折り曲げ線によって前記第１のパネルの第２の縁部にヒンジ接続された第２の上側パネルを形成するための第３のパネルであって、前記第２の縁部が前記第１の縁部と反対側にあり、それぞれ各物品を受容するための１つ又は複数のアパーチャを備える第３のパネルと、
第４の折り曲げ線によって前記第２のパネルにヒンジ接続された第１の下側パネルを形成するための第４のパネルであって、それぞれ各物品を受容するための１つ又は複数のアパーチャを備える、第４のパネルと、
第５の折り曲げ線によって前記第２のパネルにヒンジ接続された第２の下側パネルを形成するための第５のパネルであって、それぞれ各物品を受容するための１つ又は複数のアパーチャを備える、第５のパネルと、
第６の折り曲げ線によって前記第４のパネル又は前記第５のパネルにヒンジ接続された底部パネルを形成するための第６のパネルと、
を備える、ブランクを提供するステップと、
前記第２のパネルにおける１つ又は複数のアパーチャのそれぞれを、前記第１のパネルにおける前記複数のアパーチャのうちの各アパーチャと少なくとも部分的に位置合わせ状態にさせるために、前記第１のパネルの第１の部分を覆うように前記第２のパネルを折り曲げるステップと、
前記第３のパネルにおける１つ又は複数のアパーチャのそれぞれを、前記第１のパネルにおける前記複数のアパーチャのうちの各他のアパーチャと少なくとも部分的に位置合わせ状態にさせるために、前記第１のパネルの第２の部分を覆うように前記第３のパネルを折り曲げるステップと、
前記第４のパネルにおける１つ又は複数のアパーチャのそれぞれを、前記第１のパネルにおけるアパーチャ及び前記第２のパネルにおけるアパーチャと少なくとも部分的に位置合わせ状態にさせるために、前記第２のパネル及び前記第１のパネルの前記第１の部分を覆うように前記第４のパネルを折り曲げるステップと、
前記第５のパネルにおける１つ又は複数のアパーチャのそれぞれを、前記第１のパネルにおけるアパーチャ及び前記第３のパネルにおけるアパーチャと少なくとも部分的に位置合わせ状態にさせるために、前記第３のパネル及び前記第１のパネルの前記第２の部分を覆うように前記第５のパネルを折り曲げるステップと、
一群の物品を提供するステップと、
前記ブランクを前記一群の物品に対して折り曲げられた状態に移動させるステップと、
前記第１のパネルの前記複数のカットアウェイ又はアパーチャ、並びに、前記第１のパネルの前記複数のカットアウェイ又はアパーチャが位置合わせされる前記第２のパネル又は前記第３のパネルにおける各アパーチャ及び前記第４のパネル又は前記第５のパネルにおける各アパーチャのそれぞれ内に物品を受容するステップと、
前記第４の折り曲げ線及び前記第５の折り曲げ線に関して、それぞれ前記第４のパネル及び前記第５のパネルを少なくとも部分的に折り曲げないステップと、
略「Ｖ」字形状の配置構成になるように、前記第１の折り曲げ線に関して前記第１のパネルを折り曲げるステップと、
を備える、方法。
【請求項１７】
前記一群の物品の反対側に関して前記第４のパネル及び前記第５のパネルを変形し、又は折り曲げるステップと、
前記一群の物品の基部に関して前記第６のパネルを折り曲げるステップと、
キャリアを形成するために、前記第６のパネルを固定するステップと、
をさらに備える、請求項１６に記載の方法。
【請求項１８】
前記第２のパネル及び前記第３のパネルに対してハンドルパネルを少なくとも部分的に折り曲げないステップをさらに備える、請求項１６に記載の方法。
【請求項１９】
前記第１のパネルを前記第２のパネル及び前記第３のパネルの各部分に面接触関係で固定するステップをさらに備える、請求項１６に記載の方法。
【請求項２０】
ハンドルパネルは、前記ブランク内に前記一群の物品を受容することに応じて、前記第１のパネルを少なくとも部分的に折り曲げると同時に、前記第２のパネル及び前記第３のパネルに対して折り曲げられない、請求項１６又は１８に記載の方法。
【請求項２１】
ハンドルパネルは、前記第１のパネルから少なくとも部分的に打ち抜き加工され、前記第２のパネル及び前記第３のパネルのそれぞれに連結される、請求項１６に記載の方法。
【請求項２２】
一群の物品及びキャリアを備えるパッケージであって、前記キャリアがハンドルパネル、保持壁、第１の側壁及び第２の側壁、及び底壁を備え、
前記ハンドルパネルの各端部は、前記保持壁の上側縁部及び下側縁部に折り曲げ可能に接続され、前記一群の物品の上部の上で展開可能なストラップ型ハンドルとしての使用のために、前記一群の物品の上部に亘って延在しており、
前記保持壁は、その断面が略「Ｖ」字形状であり、２つの保持構造を備え、各保持構造は、前記一群の物品のうちの物品の第１の部分を受容するための少なくとも１つの物品保持アパーチャを備え、各保持構造は、前記キャリアの内側中心に向けて傾斜して内向きに角度付けられ、
第１の側部パネル及び第２の側部パネルのそれぞれは、少なくとも１つの物品受容アパーチャを備え、前記物品受容アパーチャのそれぞれの一部は、前記一群の物品のうちの前記物品の第２の部分を受容するための保時構造において、前記物品保持アパーチャの１つの一部と垂直方向のレジストリで配置され、
前記第１の側壁及び前記第２の側壁のそれぞれは、前記キャリアの前記内側中心に近接して配置される前記保持壁の部分にその上側縁部に沿ってヒンジ接続され、それによって、前記第１の側壁及び前記第２の側壁がそれぞれ前記一群の物品の外側に向けてそれらの内側縁部から分岐する、パッケージ。
【請求項２３】
添付した図面を参照して、本願明細書に実質的に記載されるような物品を包装する方法、及び／又は、添付した図面によって実質的に図示されるような物品を包装する方法。
【請求項２４】
添付した図面を参照して、本願明細書に実質的に記載されるような物品を包装するためのカートン、及び／又は、添付した図面によって実質的に図示されるような物品を包装するためのカートン。
【請求項２５】
添付した図面を参照して、本願明細書に実質的に記載されるようなカートンを形成するためのブランク、及び／又は、添付した図面によって実質的に図示されるようなカートンを形成するためのブランク。
【請求項２６】
添付した図面を参照して、本願明細書に実質的に記載されるようなパッケージ、及び／又は、添付した図面によって実質的に図示されるようなパッケージ。
【発明の詳細な説明】
【技術分野】
【０００１】
本願発明は、改善された物品保持特徴を有する物品用キャリアに関する。より具体的には、排他的ではないが、本願発明は、キャリアを形成するためのブランク、パッケージキャリアによって包含された複数の物品をしっかりと保持するための改善された物品保持特徴を有するキャリアの組立において使用された部分的に形成された構造であって、その自動化された組立が容易に達成される、部分的に形成された構造に関する。さらに、キャリアは、包装された製品のブランドの特徴である形状を有してもよい。
【背景技術】
【０００２】
包装の技術分野において、複数の主要の製品容器を備えるパッケージを消費者に提供することがしばしば要求される。例えばマルチパックは輸送及び流通のために、且つ、商業的な情報の表示のために、望ましい。コスト及び環境面を考慮すると、そのようなカートン又はキャリアは、可能な限り少ない材料から形成される必要があり、且つそれらが形成される材料における廃棄物を可能な限り少なくさせる必要がある。他の考慮は、物品の大きな重量を保持し、且つ輸送するために、包装の強度及びその適合性である。キャリアにはしばしば、物品保持特徴が設けられ、それによって、複数の物品は、カートン内にしっかりと保持されることができる。物品保持特徴を有するキャリアの例示は、特許文献１に開示される。カートンは、複数の物品を支持するための平坦な基部と、前記基部の平面に対して傾斜したジグザグの向きで配置された３つの保持区域と、を有する。パッケージは、ボトルの基部が中間保持区域におけるアパーチャを水平方向に通過することによって、次いで、ボトルの基部が下側保持区域におけるアパーチャを通過することによって、手動で組み立てられる。ボトルのネック部分は次いで、反対方向におけるボトルの移動によって上側保持区域におけるアパーチャを通過する。キャリアの組立の自動化及びボトルの包装の自動化は容易に達成されることができず、手動の供給及び組立が遅く費用がかかるので、ボトルが部分的に底部供給され、次いで、カートン内へ部分的に上部供給されるようにボトルをスレッディングすることは、非常に不利である。それ故に、包装機械によって供給され自動化された方法で組み立てられることができるキャリアを有することは、望ましい。
【０００３】
さらなる他の考慮は、消費者に対する包装された製品のマーケティングに役立つことができるパッケージの人目を引く性質又は審美的に魅力的な性質である。本願発明は、先行技術の問題を解消する又は少なくとも軽減するようとする。
【先行技術文献】
【特許文献】
【０００４】
【特許文献１】英国特許第２、２７９、０６５号明細書
【発明の概要】
【課題を解決するための手段】
【０００５】
本願発明の第１の態様によれば、複数の物品を包装するカートンであって、
底部パネルと、
上側部分及び下側部分をそれぞれ有する第１の側部パネル及び第２の側部パネルと、
を備え、
前記第１の側部パネルが第１の物品を受容するための第１のアパーチャ及び第２のアパーチャを有しており、前記第１のアパーチャが前記第１の側部パネルの前記上側部分から切り抜き加工されており、前記第２のアパーチャが前記第１の側部パネルの前記下側部分から切り抜き加工され、
第２の側部パネルが第２の物品を受容するための第３のアパーチャ及び第４のアパーチャを有し、前記第３のアパーチャが第２の側部パネルの上側部分から切り抜き加工され、前記第４のアパーチャが第２の側部パネルの下側部分から切り抜き加工され、
前記第１の側部パネルは、前記第１の側部パネルの第１の部分が第１の物品の第１の側に配置され、且つ第１の側部パネルが第１の物品の第２の側に配置されるように、第１のアパーチャと第２のアパーチャとの間で折り曲げられ、
前記第２の側部パネルは、第２の側部パネルの第１の部分が第２の物品の第１の側に配置され、且つ第２の側部パネルの第２の部分が前記第２の物品の第２の側に配置されるように、第３のアパーチャと第４のアパーチャとの間で折り曲げられ、
前記カートンは、第１の側部パネル及第２の側部パネルを一緒に連結する補強パネルを備え、
前記補強パネルは、第１の物品及び第２の物品のうちの各１つを受容するための第１のカットアウェイ又はアパーチャ及び第２のカットアウェイ又はアパーチャをそれぞれ備えており、
前記補強パネルは、第１のカットアウェイ又はアパーチャと第２のカットアウェイ又はアパーチャとの間に配置された第１の折り曲げ線を備え、
前記補強パネルは、略Ｖ字形状になるように、前記第１の側部パネル及び前記第２の側部パネルの上側部分と面接触関係で配置される、カートンが提供される。
【０００６】
任意選択的に、ハンドルストラップは、補強パネルから切り抜き加工され、カートンを運ぶために補強パネルの外側に変位されることができる。
【０００７】
任意選択的に、第１の側部パネルは第１のアパーチャと第２のアパーチャとの間に配置された第２の折り曲げ線を備え、第２の側部パネルは第３のアパーチャと第４のアパーチャとの間に配置された第３の折り曲げ線を備え、第２の折り曲げ線は第３の折り曲げ線に隣接して且つ近接して配置される。
【０００８】
好ましくは、第２の折り曲げ線及び第３の折り曲げ線は、第１の折り曲げ線に近接して配置される。
【０００９】
本願発明の第２の態様によれば、第１の物品及び第２の物品並びに前述の段落に記載されるようなカートンを備えるパッケージであって、前記第１の物品は、第１の物品の一部分が前記第１の側部パネルの外側に配置されるように、第１の側部パネルの第１のアパーチャ及び第２のアパーチャ内に受容され、前記第２の物品は、第２の物品の一部分が第２の側部パネルの外側に配置されるように、第２の側部パネルの第３のアパーチャ及び第４のアパーチャ内に受容される、パッケージが提供される。
【００１０】
任意選択的に、第１の物品のネック部分は、第１の側部パネルの外側に配置され、前記第２の物品のネック部分は第２の側部パネルの外側に配置される。
【００１１】
いくつかの実施形態において、ハンドルストラップは、第１の物品及び第２の物品の上部又はクラウンの上に延在してもよい。
【００１２】
いくつかの実施形態において、ハンドルストラップは、その一部が第１の物品及び第２の物品の上部又はクラウンに亘って配置されるように形成されてもよい。
【００１３】
任意選択的に、ハンドルストラップは、使用時に前記ハンドルパネルが前記第１の物品及び第２の物品に関して第１の側部パネル及び第２の側部パネルの上側部分及び補強パネルを締め付けるように、前記第１の側部パネルの上側部分及び前記第２の側部パネルの上側部分にヒンジ接続される。
【００１４】
本願発明の第３の態様によれば、カートンを形成するブランクであって、
補強パネルを形成する第１のパネルと、
前記第１のパネルの第１の縁部にヒンジ接続された第１の上側パネルを形成するための第２のパネルと、
前記第１のパネルの第２の縁部にヒンジ接続された第２の上側側部パネルを形成するための第３のパネルであって、前記第２の縁部が前記第１の縁部と反対側にある、第３のパネルと、
前記第２のパネルにヒンジ接続された第１の下側パネルを形成するための第４のパネルと、
前記第２のパネルにヒンジ接続された第２の下側パネルを形成するための第５のパネルと、
前記第４のパネル又は前記第５のパネルにヒンジ接続された底部パネルを形成するための第６のパネルと、
を備える、ブランクが提供される。
【００１５】
任意選択的に、ハンドルパネルは、前記第１のパネルから少なくとも部分的に切り抜き加工され、第２のパネル及び第３のパネルのそれぞれに連結されてもよい。
【００１６】
任意選択的に、第１のパネルは、物品を受容するための１つ又は複数のアパーチャを備えおり、第２のパネル及び第３のパネルのそれぞれは複数のアパーチャを備え、当該複数のアパーチャのそれぞれは、第１のパネルにおける各アパーチャと少なくとも部分的に位置合わせするように配置され、第４のパネル及び第５のパネルは複数のアパーチャを備え、当該複数のアパーチャのそれぞれは、第２のパネル、第３のパネル、第４のパネル、及び第５のパネルが第１のパネルを少なくとも部分的に覆うように折り曲げられた場合に、第１のパネルにおける各アパーチャ及び第２のパネル又は第３のパネルにおける各アパーチャと少なくとも部分的に位置合わせするように配置される。
【００１７】
いくつかの実施形態において、前記第６のパネルは、前記第４のパネルにヒンジ接続された第１の部分と、前記第５のパネルにヒンジ接続された第２の部分とを備える。
【００１８】
本願発明の第４の態様によれば、パッケージを形成するための部分的に形成された構造であって、
補強パネルを形成する第１のパネルと、
前記第１のパネルの第１の縁部にヒンジ接続された第１の上側パネルを形成するための第２のパネルと、
前記第１のパネルの第２の縁部にヒンジ接続された第２の上側パネルを形成するための第３のパネルであって、前記第２の縁部が前記第１の縁部と反対側にある、第３のパネルと、
前記第１のパネルにヒンジ接続された第１の下側パネルを形成するための第４のパネルと、
前記第２のパネルにヒンジ接続された第２の下側パネルを形成するための第５のパネルと、
前記第４のパネル又は前記第５のパネルにヒンジ接続された底部パネルを形成するための第６のパネルと、
を備え、
前記第１のパネルは、物品を受容するための１つ又は複数のアパーチャを備え、前記第２のパネル及び前記第３のパネルのそれぞれは、１つ又は複数のアパーチャを備え、前記第４のパネル及び前記第５のパネルは１つ又は複数のパネルを備え、
前記第２のパネル及び前記第３のパネルはそれぞれ、第１のパネルの一部分を覆うために、第２のパネル又は第３のパネルに連結する各ヒンジ線に関して折り曲げられ、それによって、前記第２のパネル及び前記第３のパネルにおけるアパーチャのそれぞれは、前記第１のパネルにおける各アパーチャと少なくとも部分的に位置合わせされるように配置され、
前記第４のパネル及び前記第５のパネルはそれぞれ、第４のパネル又は第５のパネルを第２のパネル又は第３のパネルのそれぞれ１つに連結する各ヒンジ線に関して折り曲げられ、それによって、第４のパネル及び第５のパネルのそれぞれの一部分が、それらがヒンジ接続される第２のパネル又は第３のパネルの各１つと重複配置構成になり、第２のパネル又は第３のパネルが覆う第１のパネルの各部分を覆い、
第１のパネルにおける複数のアパーチャのそれぞれ１つは、第２のパネル又は第３のパネルにおける複数のアパーチャの１つと少なくとも部分的に位置合わせ状態になり、第４のパネル又は第５のパネルにおける複数のアパーチャの１つと少なくとも位置合わせ状態になる、部分的に形成された構造が提供される。
【００１９】
この態様のいくつかの実施形態において、ハンドルパネルは、第１のパネルから少なくとも部分的に打ち抜き加工されることができ、第２のパネル及び第３のパネルのそれぞれに連結されることができる。
【００２０】
本願発明の第５の態様によれば、１つ又は複数の物品を包装する方法であって、
それぞれ物品を受容するための複数のアパーチャ又はカットアウェイと、それを横断方向に横切って延在する第１の折り曲げ線とを含んでいる補強パネルを形成する第１のパネルと、
第２の折り曲げ線によって前記第１のパネルの第１の縁部にヒンジ接続された第１の上側パネルを形成するための第２のパネルであって、それぞれ各物品を受容するための１つ又は複数のアパーチャを備える、第２のパネルと、
第３の折り曲げ線によって前記第１のパネルの第２の縁部にヒンジ接続された第２の上側パネルを形成するための第３のパネルであって、前記第２の縁部が前記第１の縁部と反対側にあり、それぞれ各物品を受容するための１つ又は複数のアパーチャを備える第３のパネルと、
第４の折り曲げ線によって前記第２のパネルにヒンジ接続された第１の下側パネルを形成するための第４のパネルであって、それぞれ各物品を受容するための１つ又は複数のアパーチャを備える、第４のパネルと、
第５の折り曲げ線によって前記第２のパネルにヒンジ接続された第２の下側パネルを形成するための第５のパネルであって、それぞれ各物品を受容するための１つ又は複数のアパーチャを備える、第５のパネルと、
第６の折り曲げ線によって前記第４のパネル又は前記第５のパネルにヒンジ接続された底部パネルを形成するための第６のパネルと、
を備える、ブランクを提供するステップと、
前記第２のパネルにおける１つ又は複数のアパーチャのそれぞれを、前記第１のパネルにおける前記複数のアパーチャのうちの各アパーチャと少なくとも部分的に位置合わせ状態にさせるために、前記第１のパネルの第１の部分を覆うように前記第２のパネルを折り曲げるステップと、
前記第３のパネルにおける１つ又は複数のアパーチャのそれぞれを、前記第１のパネルにおける前記複数のアパーチャのうちの各他のアパーチャと少なくとも部分的に位置合わせ状態にさせるために、前記第１のパネルの第２の部分を覆うように前記第３のパネルを折り曲げるステップと、
前記第４のパネルにおける１つ又は複数のアパーチャのそれぞれを、前記第１のパネルにおけるアパーチャ及び前記第２のパネルにおけるアパーチャと少なくとも部分的に位置合わせ状態にさせるために、前記第２のパネル及び前記第１のパネルの前記第１の部分を覆うように前記第４のパネルを折り曲げるステップと、
前記第５のパネルにおける１つ又は複数のアパーチャのそれぞれを、前記第１のパネルにおけるアパーチャ及び前記第３のパネルにおけるアパーチャと少なくとも部分的に位置合わせ状態にさせるために、前記第３のパネル及び前記第１のパネルの前記第２の部分を覆うために前記第５のパネルを折り曲げるステップと、
一群の物品を提供するステップと、
前記ブランクを前記一群の物品に対して折り曲げられた状態に移動させるステップと、
前記第１のパネルの前記複数のカットアウェイ又はアパーチャ、並びに、前記第１のパネルの前記複数のカットアウェイ又はアパーチャが位置合わせされる前記第２のパネル又は前記第３のパネルにおける各アパーチャ及び前記第４のパネル又は前記第５のパネルにおける各アパーチャのそれぞれ内に物品を受容するステップと、
前記第４の折り曲げ線及び前記第５の折り曲げ線に関して、それぞれ前記第４のパネル及び前記第５のパネルを少なくとも部分的に折り曲げないステップと、
略「Ｖ」字形状の配置構成になるように、前記第１の折り曲げ線に関して前記第１のパネルを折り曲げるステップと、
を備える、方法が提供される。
【００２１】
任意選択的に、ハンドルパネルは、第１のパネルから少なくとも部分的に切り抜き加工されることができ、前記第２のパネル及び前記第３のパネルのそれぞれに連結されることができる。
【００２２】
任意選択的に、当該方法は、
前記一群の物品の反対側に関して前記第４のパネル及び前記第５のパネルを変形し、又は折り曲げるステップと、
前記一群の物品の基部に関して前記第６のパネルを折り曲げるステップと、
キャリアを形成するために、前記第６のパネルを固定するステップと、
を備えてもよい。
【００２３】
任意選択的には、当該方法は、第２のパネル及び第３のパネルに対してハンドルパネルを少なくとも部分的に折り曲げられないステップを備えてもよい。
【００２４】
任意選択的に、当該方法は、第２のパネル及び第３のパネルの各部分に第１のパネルを面接触関係で固定するステップを備えてもよい。
【００２５】
いくつかの実施形態において、ハンドルパネルは、前記ブランク内に前記一群の物品を受容することに応じて、前記第１のパネルを少なくとも部分的に折り曲げると同時に、前記第２のパネル及び前記第３のパネルに対して折り曲げられなくてもよい。
【００２６】
任意選択的には、当該方法は、ハンドルパネルの内面を物品の端部と係合するステップを備える。
【００２７】
本願発明の第６の態様によれば、一群の物品及びキャリアを備えるパッケージであって、前記キャリアがハンドルパネル、保持壁、第１の側壁及び第２の側壁、及び底壁を備え、
前記ハンドルパネルの各端部は、前記保持壁の上側縁部及び下側縁部に折り曲げ可能に接続され、前記一群の物品の上部の上で展開可能なストラップ型ハンドルとしての使用のために、前記一群の物品の上部に亘って延在しており、
前記保持壁は、その断面が略「Ｖ」字形状であり、２つの保持構造を備え、各保持構造は、前記一群の物品のうちの物品の第１の部分を受容するための少なくとも１つの物品保持アパーチャを備え、各保持構造は、前記キャリアの内側中心に向けて傾斜して内向きに角度付けられ、
前記第１の側部パネル及び前記第２の側部パネルのそれぞれは、少なくとも１つの物品受容アパーチャを備え、前記物品受容アパーチャのそれぞれの一部は、前記一群の物品のうちの前記物品の第２の部分を受容するための保時構造において、前記物品保持アパーチャの１つの一部と垂直方向のレジストリで配置され、
前記第１の側壁及び前記第２の側壁のそれぞれは、前記キャリアの前記内側中心に近接して配置される前記保持壁の部分にその上側縁部に沿ってヒンジ接続され、それによって、前記第１の側壁及び前記第２の側壁が前記一群の物品の外側に向けてそれらの内側縁部から分岐する、パッケージが提供される。
【００２８】
この出願の技術的範囲内で、先行する段落において、特許請求の範囲において、及び／又は以下の説明及び図面において提示された様々な態様、実施形態、実施例、特徴及び代替物が単独で又はそれらの組み合わせで採用されることができることは、予想される、且つ意図される。例えば、一の実施形態に関連して記載された特徴は、特徴の不適合がない限り、全ての実施形態において適用可能である。
【００２９】
本願発明の例示的な実施形態は次いで、添付した図面を参照して記載されるであろう。
【図面の簡単な説明】
【００３０】
【図１】本願発明の第１の実施形態によるキャリアを形成するためのブランクの上から見た平面図である。
【図２】接着剤の塗布のための任意選択的な位置が指し示される、折り曲げられた図１のブランクの上から見た斜視図である。
【図３】部分的に形成された構造に折り曲げられ、且つ貼り付けられる図１のブランクを上から見た斜視図であって、部分的に形成された構造の下側が示される斜視図である。
【図４】部分的に形成された構造に折り曲げられ、且つ貼り付けられる図１のブランクの上から見た斜視図であって、部分的に形成された構造の外側が示される斜視図である。
【図５】物品について組み立てられるキャリアを備えるパッケージを形成するために、広げられ、且つ一群の物品に関して組み立てられる、図３及び４の部分的に形成された構造の斜視図である。
【図６】それによって、キャリアのハンドルによって運ばれることができるユニットとしてしっかりと集団化される一群の物品に関して組み立てられた図３及び４の部分的に形成された構造から形成されたキャリアを備える本願発明の実施形態によるパッケージの上から見た斜視図である。
【図７】図６のパッケージの端面図である。
【発明を実施するための形態】
【００３１】
パッケージ、ブランク、キャリア、及び部分的に形成された構造の特定の実施形態の詳細な説明は本願明細書に開示される。開示された実施形態が本願発明のある態様が実施されることができる方法の単なる例示であり、本願発明が実現されることができる全ての方法の包括的なリストを示していないことは、理解されるであろう。本願明細書に使用されるように、「例示的な」との用語は、図示、見本、モデル、又はパターンとして役立つ実施形態について言及するために広く使用される。実際に、本願明細書に記載されたパッケージ、ブランク、キャリア、及び部分的に形成された構造が様々な代替的な形態で実現されることは、理解されるであろう。図面は必ずしもスケール通りではなく、いくつかの特徴は、特定の構成要素の詳細を示すために、誇張されてもよく、又は最小化されてもよい。周知な構成要素、材料、又は方法は、本願の開示を曖昧にすることを避けるために、必ずしも非常に詳細に記載されていない。本願明細書に開示された任意の明確な構造的且つ機能的な詳細は、限定として解釈されるべきではなく、特許請求の範囲の根拠として、且つ本願発明をさまざまに採用することを当業者に教示するための代表的な根拠として、単に解釈されるべきである。
【００３２】
本願明細書に詳細に記載された実施形態において、「カートン」との用語及び「キャリア」との用語は、本願発明の様々な特徴を図示する制限されない目的で、ボトルなどの物品を係合し、持ち運び、及び／又は販売するための容器について言及する。しかしながら、本願発明の教示が、テーパーが付けられてもよく又はテーパーが付けられなくてもよい且つ／又は円筒形状であってもよく又は円筒形状でなくてもよい様々な容器に適用されることができることが考えられる。他の例示的な物品は、ボトル（例えば、金属、ガラス、又はプラスチックボトル）、缶（例えば、アルミニウム缶）、ブリキ缶、ポーチ、ポケット、及び同様のものを含む。
【００３３】
図１に示されたブランク１０は、適切な基板のシートから形成される。本願明細書において使用されるように、「適切な基板」との用語は、板紙、段ボール、ボール紙、プラスチック、それらの組み合わせ、及び同様のものなどのあらゆる種類の折り曲げ可能なシート材料を含むことが理解されるべきである。１つ又は複数のブランクは、例えば以下により詳細に記載されたキャリア構造を提供するために、採用されてもよいことが認識されるべきである。印刷可能又は被覆可能な基板材料が使用された場合には、本願明細書で使用されるように「外側」との用語は、完成したパッケージにおいてより多く露出される被覆された及び／又は印刷された側を意味するように解釈されることができる。本願明細書で使用された「下側」との用語は、完成したパッケージにおいてより少なく露出される被覆されていない／印刷されていない側を意味するように解釈されることができる。
【００３４】
例示的な実施形態において、ブランク１０は、例示的な物品の例示的な配置を包装するためのカートン又はキャリアを形成するために寸法決めされ、且つ構成される。この例において、配置は、２×２のマトリックス又はアレイであり、物品はボトルである。本願発明の任意選択的な態様において、ブランク１０から形成されたキャリアの形状は、包装されたボトル内に含有された製品のブランドの態様を喚起し、且つ／又は連想させる特徴を有する。この方法において、本願発明のパッケージは、改善されるマーケティングクオリティを有する。なぜならば、パッケージ自体が有益なキャリアパックとなるために物理的に構造化されるだけではなく、その外観は包装された製品ブランドを喚起するからである。ブランク１０は代替的に、他の物品、他のブランドの製品、異なる数の物品及び／又は物品の異なる配置を包装するためのキャリアを形成するために構成されることができる。
【００３５】
ブランク１０は、折り曲げ可能且つ（任意選択的に、接着剤によって）貼付可能である一連の直線状の相互接続された複数のパネルを備え、第１の例において、部分的に形成された構造８０（図３及び図４に示される）を形成し、その後、キャリア及び一群の物品Ｂ（図６を参照）を備える、完成したパッケージの一部を形成するキャリア９０を形成する。
【００３６】
図１を参照すると、一連の直線状の相互接続された複数のパネルは、第１の底部パネル１２と、第１の下側パネル１４と、第１の上側パネル１６（本願明細書では、第１の保持パネル１６として言及される）と、第１対の補強パネル２０ａ及び２０ｂと、ハンドルパネル１８と、第２対の補強パネル２０ｃ及び２０ｄと、第２の上側パネル２６（本願明細書では、第２の保持パネル２６として言及される）と、第２の下側パネル２４と、第２の底部パネル２２と、を備える。一連の直線状の相互接続された複数のパネル１２、１４、１６、２０ａ、２０ｂ、１８、２０ｃ、２０ｄ、２６、２４、及び２２は、横断方向に配置された折り曲げ線３８、４０、４２、４４、４６ａ、４６ｂ、４８、５０、５２、及び５４に沿って次から次へと一緒にヒンジ接続される。
【００３７】
第１の下側パネル１４及び第２の下側パネル２４は、それらがヒンジ接続されるそれぞれの第１の上側パネル１６又は第２の上側パネル２６の寸法よりも大きい。第１の下側パネル１４及び第２の下側パネル２４は、それらがヒンジ接続されるそれぞれの第１の上側パネル１６又は第２の上側パネル２６より大きく、又は長い。他の実施形態において、他の配置構成は、物品Ｂの形状及び構成に応じて予想される。
【００３８】
好ましくは、第１の下側パネル１４及び第２の下側パネル２４と第１の上側パネル１６及び第２の上側パネル２６とは、第１の下側パネル１４及び第２の下側パネル２４が物品Ｂの基部から、物品Ｂのネック部分が本体部分と出会うショルダー領域まで延在するように配置される。第１の上側パネル１６及び第２の上側パネル２６は、ショルダー領域から延在し、ネック部分に亘って物品Ｂの上部まで延在する。
【００３９】
第１の底部パネル１２及び第２の底部パネル２２には、任意選択的に、複合的な底壁１２／２２を形成するために、第１の底部パネル１２及び第２の底部パネル２２を一緒に貼り付けるための機械的なロック機構の補助部分７０、７２が設けられる。そのような機構は、この技術分野で周知であり、ラップアラウンド型キャリアに特有である。そのような機械的なロック機構は、複数の物品Ｂをキャリア内に固定するための一群の物品Ｂに関してそのキャリアがきつく巻かれることを可能にするために、ある程度の調整機能を提供する。しかしながら、本願発明の態様が他のスタイルのキャリアにおいて有利に適用されてもよく、それ故に、機械的なロック機構７０、７２は完全に、任意選択であることは予想される。ラップアラウンド型キャリアにおいて、又は他のスタイルのキャリアにおいて、機械的なロック機構は、他の種類の貼付手段、例えば、接着剤、タックフラップ、及び／又はステープルによって置き換えられてもよい。
【００４０】
第１の底部パネル１２と第１の下側パネル１４との間に、並びに、第２の底部パネル２２と第２の下側パネル２４との間に、ヒールロック特徴７４が設けられる。それらはまた、ラップアラウンド型キャリアにおいて一般的に設けられた任意選択的な特徴であり、複数の物品Ｂに対するキャリア９０のきつい適合が、物品Ｂがしっかりと保持されることを確実にする点で重要である。本願発明が他のスタイルのキャリアで実施された場合には、そのようなヒールロック特徴７４が省略されることは、認識されるであろう。そのようなヒールロック特徴７４が設けられた実施形態において、それらのスタイル、種類、サイズ、数、構成は全て、変化するスタイル、種類、形状、位置、及び数の物品Ｂを収容するために、図示されたそれから適応されてもよい。
【００４１】
ブランク１０は、一連の物品受容アパーチャ及び開口部３０ａ、３０ｂ、３０ｃ、３０ｄ、３２ａ、３２ｂ、３２ｃ、３２ｄ、３４ａ、３４ｂ、３４ｃ、３４ｄを備える。２つの略細長い卵形の物品受容アパーチャ３０ａ及び３０ｂは、第１の下側パネル１４から打ち抜き加工される。２つの略細長い卵形の物品受容アパーチャ３０ｃ及び３０ｄは、第２の下側パネル２４から打ち抜き加工される。２つの略卵形の物品受容アパーチャ３２ａ及び３２ｂは、第１の保持パネル１６から打ち抜き加工される。２つの略卵形の物品受容アパーチャ３２ｃ及び３２ｄは、第２の保持パネル２６から打ち抜き加工される。アパーチャ３０ａ、３０ｂ、３０ｃ、３０ｄ、３２ａ、３２ｂ、３２ｃ、３２ｄの形状は図１に図示されるが、例示的に図示された実施形態において示された形状に限定されるわけではない。図６の構成及び以下の説明によれば、キャリア９０がブランク１０から構成された場合に、第１の下側パネル１４及び第２の下側パネル２４並びに第１の保持パネル１６及び第２の保持パネル２６が、完成したパッケージ内に含まれた複数の物品Ｂに対して、且つ互いに対して斜角で配置されるように、アパーチャ３０ａ、３０ｂ、３０ｃ、３０ｄ、３２ａ、３２ｂ、３２ｃ、３２ｄが形成されること及びアパーチャ３０ａ、３０ｂ、３０ｃ、３０ｄ、３２ａ、３２ｂ、３２ｃ、３２ｄが物品Ｂの一部分に関して適合することは、認識されるであろう。パネル１４、１６、２４、２６が互いに対して且つ／又は複数の物品Ｂに対して異なる角度で配置される、且つ／又は、物品Ｂが異なる形状である、本願発明の他の実施形態において、アパーチャ３０ａ、３０ｂ、３０ｃ、３０ｄ、３２ａ、３２ｂ、３２ｃ、３２ｄの形状が示されたものと異なってもよい。
【００４２】
任意選択的に、ブランク１０には、第１対の補強パネル２０ａ、２０ｂと第２対の補強パネル２０ｃ、２０ｄとにおいてそれぞれ配置された部分的なアパーチャ又は開口部３４ａ、３４ｂ、及び３４ｃがさらに設けられる。それらの開口部３４ａ、３４ｂ、３４ｃ、３４ｄはそれぞれ、第１の保持パネル１６及び第２の保持パネル２６に設けられたアパーチャ３２ａ、３２ｂ及び３２ｃ、３２ｄの対応する部分に類似に形成される。このことは、第１対の補強パネル２０ａ、２０ｂが第１の保持パネル１６を覆う場合に、且つ第２対の補強パネル２０ｃ、２０ｄが第２の保持パネル２６を覆う場合に（ブランク１０の構造の以下のさらなる説明と併せて図２〜４を参照する）、開口部３４ａ、３４ｂ、３４ｃ、３４ｄは、第１の保持パネル１６及び第２の保持パネル２６に設けられた物品受容アパーチャ３２ａ、３２ｂ及び３２ｃ、３２ｄを遮断しておらず、同時に、第１対の補強パネル２０ａ、２０ｂ及び第２対の補強パネル２０ｃ、２０ｄは、最大量の補強を提供する。それ故に、開口部３４ａ、３４ｂ及び３４ｃ、３４ｄがアパーチャ３２ａ、３２ｂ及び３２ｃ、３２ｄの対応する部分に類似に形成されることは好ましい。他の実施形態において、開口部３４ａ、３４ｂ及び３４ｃ、３４ｄは、アパーチャ３２ａ、３２ｂ及び３２ｃ、３２ｄより著しく大きくなってもよく、且つ／又は、同様に形成されなくてもよい。このことはしかしながら、第１の保持パネル１６及び第２の保持パネル２６に第１対の補強パネル２０ａ、２０ｂ及び第２対の補強パネル２０ｃ、２０ｄによって提供された補強の量を減少させるであろう。
【００４３】
ブランク１０は、２×２の配置構成において４つの類似的に寸法決めされ、且つ形成されたボトルＢを収容するカートン又はキャリア９０を形成するために構成される。ボトルＢを有する完成したパッケージは、図７に示される。図７は、概念的な垂直方向軸「Ｙ」（ボトルＢのクラウンとボトルＢの基部との間に延在する）及び直交している概念的な水平方向軸「Ｘ」を描写する。ボトルＢは、垂直方向軸「Ｙ」に直交している平面において、ボトルＢを通じて得られた断面を考慮した場合に、略円形の断面形状を有する。組立キャリア９０（図６及び図７）における第１の保持パネル１６及び第２の保持パネル２６は、水平方向軸「Ｘ」に対して約３５度と約４５度との間の角度（Ｖ）で配置される。第１の下側パネル１４及び第２の下側パネル２４の区域は、水平方向軸「Ｘ」に対して約２５度と約４５度との間の角度（Ｗ）で配置される。約２５度と約４５度との間の角度でボトルＢを通じて得られた断面は円形ではなく、むしろ卵形である。物品の形状を収容するために、パネル１４、２４、１６、２６が斜角に配置される場合に、アパーチャ３０ａ、３０ｂ、３０ｃ、３０ｄ、３２ａ、３２ｂ、３２ｃ、３２ｄは、斜角におけるボトルＢの卵形形状に類似に形成される。パッケージによって収容された物品Ｂが異なって傾斜され、寸法決めされ、且つ／又は、構成される他の実施形態において、及び／又は、パネル１４、２４、１６、２６が完成したパッケージにおいて異なって傾斜される他の実施形態において、物品受容アパーチャ３０ａ、３０ｂ、３０ｃ、３０ｄ、３２ａ、３２ｂ、３２ｃ、３２ｄは、異なる形状及び／又は寸法を有してもよい。パッケージ９０全体における物品保持特徴として作用するアパーチャ３０ａ、３０ｂ、３０ｃ、３０ｄ、３２ａ、３２ｂ、３２ｃ、３２ｄの利益は、完成したパッケージ及びその構成を参照してより詳細に記載されるであろう。
【００４４】
図２〜５に図示されるようなカートン９０の構成に戻ると、部分的に形成された構造８０及びカートン又はキャリア９０は、直線型装置において一連の連続的な折り曲げ動作によって形成されることができ、それによって、部分的に形成された構造８０及び／又はキャリア９０は、その構成を完成させるために回転させる又は逆にする必要がない。折り曲げ工程は、以下に記載されるものに必ずしも制限されておらず、特定の製造要件に従って変更されてもよい。
【００４５】
貼付手段、例えば接着剤は、図２において参照符号「Ｇ」によって図示された領域に塗布されてもよい。参照符号「Ｇ」によって図示された領域は任意選択的であるが、４つの中断したストリップにおいて、接着剤の直線的な塗布を提供する。つまり、第１対の補強パネル２０ａ、２０ｂの内面を第１の保持パネル１６の内面に貼り付けることを容易にし、第２対の補強パネル２０ｃ、２０ｄの内面を第２の保持パネル２６の内面に貼り付けることを容易にする。第１の保持パネル１６は、その内側表面の一部分が第１対の補強パネル２０ａ、２０ｂのそれぞれのパネルと面接触関係になるように、且つハンドルパネル１８の一部分と面接触関係になるように、折り曲げ線４４及び４２に関して折り曲げられる。同様に、第２の保持パネル２６は、その内側表面の一部分が第２対の補強パネル２０ｃ、２０ｄのそれぞれのパネルと面接触関係になるように、且つハンドルパネル１８の一部分と面接触関係になるように、折り曲げ線４８及び５０に関して折り曲げられる。第１の保持パネル１６及び第２の保持パネル２６はハンドルパネル１８に貼り付けられていない。結果として生じる部分的に形成された構造８０は図３及び４に示される。
【００４６】
図３において、第１の保持パネル１６及び第２の保持パネル２６が折り曲げ線４４／４２及び４８／５０に関して折り曲げられると、第１の下側パネル１４及び第２の下側パネル２４が互いに引き寄せることが、部分的に形成された構造８０の下側から見ることができ、それによって、折り曲げ線４２及び５０によってそれぞれ規定されたそれらの折り曲げられた上縁部が並んで配置される。この方法において、第１の保持パネル１６及び第２の保持パネル２６は、互いに貼り付けられ、それによって、第１の下側パネル１４及び第２の下側パネル２４それぞれとヒンジ接続されたそれらの縁部４２及び５０はすぐに並んで配置される（図３に見られる）。ヒンジ接続された縁部４２、５０の上部に配置されるものは、第１対の補強パネル２０ａ、２０ｂと第２対の補強パネル２０ｃ、２０ｄとの間の折り曲げ線４６ａ、４６ｂである。上部構造はそれによって、ハンドルパネル１８及び複合保持壁１６／２６／２０ａ／２０ｂ／２０ｃ／２０ｄを備えるように形成される。完成したパッケージにおいて、複合保持壁１６／２６／２０ａ／２０ｂ／２０ｃ／２０ｄはＶ字形状である（図６及び７に見られる）。
【００４７】
部分的に形成された構造８０において、第１の下側パネル１４及び第２の下側パネル２４は、並んで配置されたそれらの上縁部４２、５０を有しており、上縁部４２、５０のそれぞれは、複合保持壁１６／２６／２０ａ／２０ｂ／２０ｃ／２０ｄの中心に配置された略共通の位置から突出している。
【００４８】
変換工場へ輸送のための準備を整えて部分的に形成された構造８０の全長を減少させるために、第１の下側パネル１４又は第２の下側パネル２４の一方が他方の第２の下側パネル２４又は第１の下側パネル１４の上部に折り曲げられてもよい。この折り曲げ工程は、第１の保持パネル１６及び第２の保持パネル２６の折り曲げと同時に完了されてもよく、又は連続的な工程として完了されてもよい。「部分的に形成された構造８０」との用語はそれ故に、第１対の補強パネル２０ａ、２０ｂが第１の保持パネルに貼り付けられ、第２対の補強パネル２０ｃ、２０ｄが第２の保持パネル２６に貼り付けられる場合に形成された構造について言及している。このことは、図３及び図４に記述されるように、第１の下側パネル１４及び第２の下側パネル２４が互いに重複する関係になるように折り曲げられるか、又は「開いた」状態のままであるかに関係ない。
【００４９】
部分的に形成された構造８０は、変換工場へ輸送されてもよい。その変換工場で、物品Ｂ及びキャリア９０のパッケージは、部分的に形成された構造８０及び一群の物品Ｂから形成される。部分的に形成された構造は、もし必要ならば、折り曲げられず、且つ組み立てられた一群の物品Ｂに適用されている用意ができているその「開いた」状態に配置される。図５を参照すると、部分的に形成された構造８０は物品群の上に配置されることが理解される。このことは、包装アセンブリを使用して手動で又は自動化された方法で実施されてもよい。
【００５０】
パッケージの構成を手助けするために、部分的に形成された構造８０は、第１の下側パネル１４及び第２の下側パネル２４のアパーチャ３０ａ、３０ｂ、３０ｃ、３０ｄが、第１の保持パネル１６及び第２の保持パネル２６のアパーチャ３２ａ、３２ｂ、３２ｃ、３２ｄ（部分的に形成された構造８０の中間層を形成する）と少なくとも部分的に位置合わせられるように、且つ、第１対の補強パネル２０ａ、２０ｂ及び第２対の補強パネル２０ｃ、２０ｄの開口部３４ａ、３４ｂ、３４ｃ、３４ｄ（部分的に形成された構造８０の最外側層の一部を形成する）と少なくとも部分的に位置合わせられるように、配置される。３つのアパーチャ及び開口部の各組３０ａ／３２ａ／３４ａ、３０ｂ／３２ｂ／３４ｂ、３０ｃ／３２ｃ／３４ｃ、３０ｄ／３２ｄ／３４ｄの位置合わせは、矢印方向「Ｄ」によって図３及び図４に図示される。この方法におけるアパーチャ及び開口部の組３０ａ／３２ａ／３４ａ、３０ｂ／３２ｂ／３４ｂ、３０ｃ／３２ｃ／３４ｃ、３０ｄ／３２ｄ／３４ｄの配置構成は、各ボトルＢのネック部分を初めに側壁アパーチャ３０ａに通じて供給し、次いで保持壁アパーチャ３２ａを通じて供給し、最終的に開口部３４ａを通じて供給する方法に比べて、ボトルＢ上の部分的に形成された構造８０の適用をより単純にさせ、それ故に、自動化をより簡単にする。図示された実施形態のこのようなラップアラウンド型キャリアは、各ボトルを一組のアパーチャ内に配置する単一の方向における移動（ボトル又はキャリアのいずれかの）によって供給される。このことは、単純かつ素早く実行されるように、供給組立工程の自動化を可能にする。このことは、反対方向に向けられた傾斜したパネルを有するキャリアを組み立てるために、物品Ｂの手動のウェービング又はスレッディングが必要とされる先行技術と完全に対照的である。
【００５１】
組立中に、部分的に形成された構造８０は、第１の下側パネル１４及び第２の下側パネル２４のそれぞれの一部分が第１の保持パネル１６又は第２の保持パネル２６と接触した状態、又は第１の保持パネル１６又は第２の保持パネル２６に対して少なくとも近接する状態を保つように把持されてもよい。アパーチャ及び開口部３０ａ／３２ａ／３４ａ、３０ｂ／３２ｂ／３４ｂ、３０ｃ／３２ｃ／３４ｃ、３０ｄ／３２ｄ／３４ｄはそれによって、ボトルＢが各組３０ａ／３２ａ／３４ａ、３０ｂ／３２ｂ／３４ｂ、３０ｃ／３２ｃ／３４ｃ、３０ｄ／３２ｄ／３４ｄ内に少なくとも供給されるまで、それらの組において維持されてもよい。その後、第１の下側パネル１４及び第２の下側パネル２４は、第１の保持パネル１６又は第２の保持パネル２６と接触した状態、又は少なくとも近接する状態で維持されることから解放されるであろう。第１の下側パネル１４及び第２の下側パネル２４のアパーチャ３０ａ、３０ｂ、３０ｃ、３０ｄの寸法及び形状は、ボトルＢのネックのわずかに下のボトルＢのクラウンから下へ一緒に移動する第１の保持パネル１６及び第２の保持パネル２６におけるアパーチャ３２ａ、３２ｂ、３２ｃ、３２ｄ及び開口部３４ａ、３４ｂ、３４ｃ、３４ｄと比較して、第１の下側パネル１４及び第２の下側パネル２４が（図７に示されるように軸「Ｙ」の方向において）ボトルＢをさらに下に移動させることを可能にするであろう。
【００５２】
第１の下側パネル１４及び第２の下側パネル２４はその後、一群のボトルＢの側部に関して折り曲げられ、第１の底部パネル１２及び第２の底部パネル２２は次いで、ヒール固定特徴７４内に各物品Ｂのヒール部を配置するように、且つ第１の底部パネル１２及び第２の底部パネル２２が重複関係になるように、折り曲げ線３８、４０、５２、及び５４に関して折り曲げられる。補助的なロック機構７０、７２は次いで、その技術分野で周知とされるように、２つの底部パネル１２、２２を一緒に接続するために展開され、それによって、複合的な底壁を形成し、物品Ｂに関してきつく巻かれた形態でキャリアを固定する。
【００５３】
部分的に形成された構造８０及び物品Ｂの相対的な移動によって、複数の物品Ｂがアパーチャ／開口部の組３０ａ／３２ａ／３４ａ、３０ｂ／３２ｂ／３４ｂ、３０ｃ／３２ｃ／３４ｃ、３０ｄ／３２ｄ／３４ｄのそれぞれ１つ内に供給されてもよいことは認識されるだろう。言い換えると、ボトルＢは、部分的に形成された構造８０に向けて移動されてもよく、且つ／又は、部分的に形成された構造８０は物品Ｂに向けて移動されてもよい。
【００５４】
ハンドルパネル１８は好ましくは、完成したパッケージ内の各ボトルＢの上部又はクラウンの一部分（重畳において）と接着する又は部分的に重複するように、寸法決めされ、且つ形成される。
【００５５】
完成したパッケージは図６に示されており、パッケージは、カートン９０内に配置された４つの物品Ｂを備える。物品は、複合的な基部パネル１２／２２上に配置される。カートン９０は、第１の下側パネル１４及び第１の上側パネル１６から形成された第１の側部パネル１４／１６と、第２の下側パネル２４及び第２の上側パネル２６から形成された第２の側部パネル２４／２６と、を備える。第１の物品Ｂは、第１の下側パネル１４から打ち抜き加工された物品受容アパーチャ３０ａ内に受容されており、第２の物品Ｂは、第１の下側パネル１４から打ち抜き加工された物品受容アパーチャ３０ｂ内に受容されており、第３の物品Ｂは、第２の下側パネル２４から打ち抜き加工された物品受容アパーチャ３０ｃ内に受容されており、第４の物品Ｂは、第２の下側パネル２４から打ち抜き加工された物品受容アパーチャ３０ｄ内に受容されている。第１の物品Ｂは、第１の上側パネル１６から打ち抜き加工された物品受容アパーチャ３２ａ内に受容され、第２の物品Ｂは、第１の上側パネル１６から打ち抜き加工された物品受容アパーチャ３２ｂ内に受容され、第３の物品Ｂは、第２の上側パネル２６から打ち抜き加工された物品受容アパーチャ３２ｃ内に受容され、第４の物品Ｂは、第２の上側パネル２６から打ち抜き加工された物品受容アパーチャ３２ｄ内に受容される。第１の側部パネル１４／１６は、第１の側部パネル１４／１６の第１の部分「１００」が第１の物品Ｂ及び第２の物品Ｂの第１の側部に配置されるように、且つ第１の側部パネル１４／１６の第２の部分「２００」が第１の物品Ｂ及び第２の物品Ｂの第２の反対側の側部に配置されるように、折り曲げられる。第２の側部パネル２４／２６は、第２の側部パネル２４／２６の第１の部分「３００」が第３の物品Ｂ及び第４の物品Ｂの第１の側部に配置されるように、且つ第２の側部パネル２４／２６の第２の部分「４００」が第３の物品Ｂ及び第４の物品Ｂの第２の反対側の側部に配置されるように、折り曲げられる（図７に見られる）。補強パネル２０ａ／２０ｂ／２０ｃ／２０ｄは、第１の側部パネル１４／１６を第２の側部パネル２４／２６に連結する。補強パネル２０ａ／２０ｂ／２０ｃ／２０ｄは、一方の端部で第１の上側パネル１６に、他方の端部で第２の上側パネル２６にヒンジ接続される。補強パネル２０ａ／２０ｂ／２０ｃ／２０ｄは、凹部、カットアウェイ、又はアパーチャ等の開口部３４ａ、３４ｂ、３４ｃ、３４ｄを備え、当該開口部のそれぞれは、物品Ｂのそれぞれ１つを受容する。補強パネル２０ａ／２０ｂ／２０ｃ／２０ｄが、そこに規定された折り曲げ線４６ａであって、補強パネル２０ａ／２０ｂ／２０ｃ／２０ｄを横切って横断方向に延在する折り曲げ線４６ａを備えることが認識されるだろう。折り曲げ線４６ａは、開口部３４ａ、３４ｂと開口部３４ｃ、３４ｄとの間に配置される。補強パネル２０ａ／２０ｂ／２０ｃ／２０ｄは、第１の上側パネル２４又は第２の上側パネル２６と面接触関係で配置されており、略Ｖ字形状である。カートン９０は、補強パネル２０ａ／２０ｂ／２０ｃ／２０ｄから打ち抜き加工されたハンドルストラップ１８を備えており、このハンドストラップ１８は、カートン９０を運ぶ場合に、補強パネル２０ａ／２０ｂ／２０ｃ／２０ｄの外側に変位される。ハンドルストラップ１８又は上部パネル１８は、物品Ｂの上部に実質的に載置しておらず、物品Ｂの上部の少なくとも一部と接触関係になってもよい。
【００５６】
ハンドルストラップ１８が物品Ｂの上部に亘って延在することは理解されるであろう。また、ハンドルストラップ１８は、物品Ｂの上部を部分的に覆うので、上部パネルになるように考慮されてもよい。
【００５７】
図６は、第１の保持パネル１６が図７に図示されるように、概念的な水平方向軸（Ｘ）に対して所定の角度（Ｖ）で配置されることを示す。第１の下側パネル１４の上側区域はまた、図７に図示されるように、概念的な水平方向軸（Ｘ）に対して所定の角度（Ｗ）で配置される。第１の保持パネル１６及び第１の下側パネル１４の上側区域は、互いに対して、角度（Ｗ）を角度（Ｖ）に加えた角度で配置される。角度（Ｖ）及び角度（Ｗ）の合計は、約６０度と約９０度との間とされてもよい。第２の保持パネル２６及び第２の下側パネル２４の上側区域は、同様に構成される。そのようなものとして、端面図において、パッケージは、その一部が略「Ｘ」字形状に形成された形態を有する。第１の下側パネル１４及び第２の下側パネル２４の上側区域がある程度撓むことができることは、図７から理解されることができる。このことは、ボトルＢを交差し、且つボトルＢに関してきつく巻き付かれる下側パネル１４及び２４に起因しており、下側パネル１４及び２４は、ボトルＢの直線的な側部と略平行になる各下側パネル１４及び２４の下側区域を有する。各ボトルＢは、２つの傾斜した保持パネル（保持壁１６／２６／２０ａ／２０ｂ／２０ｃ／２０ｄの一部並びに側壁１４及び２４の一部）によって保持される。
【００５８】
各傾斜した保持パネル（保持壁１６／２６／２０ａ／２０ｂ／２０ｃ／２０ｄの一部並びに側壁１４及び２４の一部）は、ボトルＢに対して所定の角度で配置され、それによって、各アパーチャ又は開口部３０ａ、３０ｂ、３０ｃ、３０ｄ  ３２ａ／３４ａ、３２ｂ／３４ｂ、３２ｓ／３４ｃ、３２ｄ／３４ｄの縁部は、一定範囲の高さでボトルＢを固定する。例えば、複合的な保持壁１６／２６／２０ａ／２０ｂ／２０ｃ／２０ｄにおける上部物品保持アパーチャ又は開口部３２ａ／３４ａ、３２ｂ／３４ｂ、３２ｃ／３４ｃ、３２ｄ／３４ｄは傾斜されており、それによって、上部物品保持アパーチャ又は開口部３２ａ／３４ａ、３２ｂ／３４ｂ、３２ｃ／３４ｃ、３２ｄ／３４ｄの最も上側の縁部及び最も下側の縁部が上部物品保持アパーチャ又は開口部３２ａ／３４ａ、３２ｂ／３４ｂ、３２ｃ／３４ｃ、３２ｄ／３４ｄの最大直径によって離隔されており、この直径は約３ｃｍと約６ｃｍの間とされてもよく、好ましくは約４ｃｍである。第１の下側パネル１４及び第２の下側パネル２４における下部物品保持アパーチャ３０ａ、３０ｂ、３０ｃ、３０ｄは傾斜されており、それによって、下部物品保持アパーチャ３０ａ、３０ｂ、３０ｃ、３０ｄの最も上側の縁部及び最も下側の縁部が下部物品保持アパーチャ３０ａ、３０ｂ、３０ｃ、３０ｄの最大直径によって離隔されており、この直径は約６ｃｍと約９ｃｍとの間とされもよく、好ましくは約７．３ｃｍとされてもよい。
【００５９】
上部物品保持アパーチャ又は開口部３２ａ／３４ａ、３２ｂ／３４ｂ、３２ｃ／３４ｃ、３２ｄ／３４ｄ及び実際に、「Ｖ」字形状の複合的な保持壁１６／２６／２０ａ／２０ｂ／２０ｃ／２０ｄは、内側に角度付けられる。それによって、各上側保持パネル１６／２０ａ／２０ｂ及び２６／２０ｃ／２０ｄの最も上側の縁部４４、４８が最も外側になり、各上側保持パネル１６／２０ａ／２０ｂ及び２６／２０ｃ／２０ｄがキャリア９０の中心に向けて内側に角度付けられることを意味する。また、各下側保持パネル１４、２４の最も上側の縁部４２、５０が最も内側に配置されており（及び、キャリア９０の中心に配置されており）、各下側保持パネル１４、２４の最も下側の区域が最も外側に位置されることを意味する。
【００６０】
内側に角度付けられる最も上側の保持パネル１６／２０ａ／２０ｂ及び２６／２０ｃ／２０ｄに起因して、ハンドルパネル１８は、一群の物品Ｂの上部に亘って延在するストラップハンドルとして形成されることができ、ボトルＢの上部の上で上に向けて撓んでいる。このことは、キャリア９０を持ち上げるのに便利で快適な方法を提供する。
【００６１】
上部保持パネル１６／２０ａ／２０ｂ、２６／２０ｃ／２０ｄ及び下部保持パネル１４、２４が反対側の角度（ｏｐｐｏｓｉｔｅ  ａｎｇｌｅ）で配置されるので、一旦キャリア９０内に包装されると、ボトルＢの移動はさらにもっと制限される。キャリア９０の上部及び底部に接続された２つの傾斜した保持パネルのこの構成は、物品Ｂの非常にしっかりした保持を提供しており、部分的に形成された構造８０において、アパーチャの組３０ａ／３２ａ／３４ａ、３０ｂ／３２ｂ／３４ｂ、３０ｃ／３２ｃ／３４ｃ、３０ｄ／３２ｄ／３４ｄの位置合わせに起因して、キャリア９０の組立が効率的に自動化されるのに十分単純である。
【００６２】
パッケージの任意選択的な断面端部形状は、改善したマーケティング効果のために、パッケージを消費者に対して際立たせることができる審美的に魅力的な性質を付与する。このことは、包装された製品に関連したブランド又はブランド戦略がパッケージの断面端部形状に対する接続を有する場合に、特に著しい場合がある。
【００６３】
様々な変更が本願発明の技術的範囲内で行われてもよく、例えばパネルの寸法及び形状並びにアパーチャが異なる寸法又は形状の物品Ｂを収容するために調節されてもよいことは、認識されることができる。本願発明の他の異なる実施形態において、１つ又は複数のあるいは全てのアパーチャ及び開口部３０ａ、３０ｂ、３０ｃ、３０ｄ、３２ａ、３２ｂ、３２ｃ、３２ｄ、３４ａ、３４ｂ、３４ｃ、３４ｄが１つ又は複数のあるいは一連の折り曲げ可能なタブを備えてもよい。そのようなタブは、物品に関してアパーチャ又はカットアウトの適合の締め付けを増大させることができる。任意選択的に、しかしながら、パッケージ全体の審美的な魅力のための、きれいに切り取られたアパーチャ及びカットアウトを有することが好ましい。本願発明によって設けられた保持機構は、折り曲げ可能なタブが必ずしも必要とされていないので十分である。図示した例示に示されたアパーチャ３０ａ、３０ｂ、３０ｃ、３０ｄ、３２ａ、３２ｂ、３２ｃ、３２ｄ及びカットアウト３４ａ、３４ｂ、３４ｃ、３４ｄの数、位置、及び形状が、物品Ｂの異なる種類、寸法、数、及び構造をサポートするために、他の実施形態において異なってもよい。
【００６４】
他の実施形態において、粘着テープ、他の化学接着剤、又はステープル、ベルクロ、機械的なロック等の機械的な固定手段は、底部パネルを一緒に固定するために使用されてもよい。
【００６５】
他の想定された実施形態において、補強パネル２０ａ、２０ｂ、２０ｃ、２０ｄは、そのようなものとしてカットアウトを備えなくてもよいが、むしろ、第１の保持パネル１６及び第２の保持パネル２６を互いに取り付けるのみに役立つことができる。そのような実施形態において、補強パネルは矩形状の形状とされてもよく、均一の幅とされてもよい。ブランクの形態において、それらの最も内側の縁部は、ハンドルパネル１８によって規定されてもよく、又は規定されなくてもよい。
【００６６】
本願明細書で使用されるように、「上部」、「底部」、「前方」、「後方」、「端部」、「側」、「内側」、「外側」、「上部」、及び「下部」等の方向基準が各パネルをそのような向きに必ずしも制限されないことは認識されるであろう。しかし、互いからそれらのパネルを単に区別するのに役立つことができる。
【００６７】
本願明細書に使用されるように、「ヒンジ接続」との用語及び「折り曲げ線」との用語は、全ての種類のラインについて言及しており、例えば、ブランクのヒンジ特徴を規定する、互いに対してブランクの一部分を折り曲げることを可能にする、又は、そうでなければ、ブランクの任意選択的なパネル折り曲げ位置を指し示す。折り曲げ線は一般的に、分割ライン、エンボス加工されたライン、又は、デボス加工されたラインである。ヒンジ接続又は折り曲げ線に対する参照は、単一の折り曲げ線についてのみの必要な参照としてとして解釈されるべきではない。実際に、ヒンジ接続が、本願発明の技術的範囲から逸脱することなく、以下の短いスリット、折れやすい線、又は、折り曲げ線の１つ又は複数から形成されることができることは、予想される。
【００６８】
本願明細書で使用されるように、「分離線」との用語は、互いから基板の一部を分離することを容易にする、又は、適切な分離位置を指し示す、全ての種類の線について言及している。分離線は折れやすくなってもよく、又は、そうでなければ、弱化線、引裂き線、切断線、又はスリットであってもよい。
【００６９】
本願明細書で使用されるように、「開口部」との用語は、凹部、カットアウェイ、又はアパーチャについて言及している。本願明細書で使用されるように、「上側パネル」との用語は、第１の上側パネル又は第２の上側パネルの上側部分１６又は２６について言及しており、それに対して、「下側パネル」の用語は、第１の下側パネル又は第２の下側パネルの下側部分１４又は２４について言及している。
【００７０】
ヒンジ接続、分離線、及び折り曲げ線がそれぞれ、ミシン目、ミシン目線、短いスリットの線、ハーフカットの線、単一のハーフカット、切断線、断続的な切断線、スリット、切り込み線、それらの組み合わせ、及び同様のものを含んでいる、ブランクの基板に形成された要素を含むことができることは、理解されるべきである。これらの要素は、所望された機能性を提供するために寸法決めされ、且つ配置されることができる。例えば、ミシン目線は、折り曲げ線及び／又は分離線を規定するために、ある程度の弱さで寸法決めされることができ、又は設計されることができる。ミシン目線は、折り曲げを容易にし且つ破壊に耐えるために、折り曲げを容易にし且つさらなる努力で破壊を容易にするために、又は、ほとんど努力せずに破壊を容易にするために、設計されることができる。
【符号の説明】
【００７１】
１０  ブランク
１２  第１の底部パネル
１４  第１の下側パネル
１６  第１の上側パネル
１８  ハンドルパネル
２０ａ〜２０ｄ  補強パネル
２２  第２の底部パネル
２４  第２の下側パネル
２６  第２の上側パネル
３８、４０、４２、４４、４６ａ、４６ｂ、４８、５０、５２、及び５４  折り曲げ線
９０  キャリア
Ｂ  物品
【図１】
2016514655.tif 000003
【図２】
2016514655.tif 000004
【図３】
2016514655.tif 000005
【図４】
2016514655.tif 000006
【図５】
2016514655.tif 000007
【図６】
2016514655.tif 000008
【図７】
2016514655.tif 000009
【国際調査報告】
2016514655.tif 000010
2016514655.tif 000011
2016514655.tif 000012
2016514655.tif 000013